(57)【特許請求の範囲】
【請求項１】
遊技の演出用画像が表示される表示面を有する直方体形状の表示ユニットと、この表示ユニットを収納して保持するユニットケースとを備え、前記表示ユニットが前記表示面を前方に向けた姿勢で遊技機本体に配設されている遊技機において、
前記ユニットケースは、前記表示ユニットの前面周囲と側端面を包囲する枠状の第１ケースと、前記表示ユニットの側端面と背面を包囲する第２ケースとで構成されており、
前記表示ユニットの上下または左右方向で対向する２つの側壁のうち、一方の側壁に対して前記第２ケースを保持部材により保持することなく前記第１ケースを保持部材により保持すると共に、他方の側壁に対して前記第１ケースを保持部材により保持することなく前記第２ケースを保持部材により保持することにより、前記表示ユニットが前記ユニットケースに収納した状態で保持されることを特徴とする遊技機。
【発明の詳細な説明】
【技術分野】
【０００１】
本発明は、パチンコ機やスロットマシン等の遊技機に係り、特に、遊技の演出用画像を表示する表示ユニットの保持構造に関するものである。
【背景技術】
【０００２】
一般的にパチンコ機は、遊技場の島設備に設置される縦長方形状の外枠と、この外枠にヒンジ部を介して開閉可能に取り付けられた機器本体と、この機器本体に設置された遊技盤と、機器本体の前面に別のヒンジ部を介して開閉可能に取り付けられたガラス扉とを備えており、ガラス扉の中央部に開設された窓孔には遊技盤の遊技領域を目視可能な透明板が取り付けられている。機器本体には、液晶表示装置（ＬＣＤ）等からなる表示ユニットが取り付けられており、この表示ユニットの表示面を遊技領域の中央部から露出させることにより、遊技者は表示ユニットに表示される遊技の演出用画像を見ながら遊技を楽しむようになっている。
【０００３】
表示ユニットは液晶表示装置とその制御基板とを金属製ケースに収納して構成される直方体形状の部品であり、この表示ユニットはユニットケースに保持された状態で機器本体に取り付けられる。ユニットケースは、表示ユニットの前面周囲と側端面を包囲する枠状の第１ケースと、表示ユニットの側端面と背面を覆う第２ケースとで構成されており、これら第１および第２ケースはねじ止め等の手段を用いて結合・一体化されるようになっている。
【０００４】
ところで、パチンコ機の製造業者は、そのパチンコ機に搭載される表示ユニットとして既製品を採用する場合が多く、通常、かかる既製品の表示ユニットの左右両端面または上下両端面には複数のネジ孔（雌ネジ部）が設けられており、これらネジ孔を用いて表示ユニットがユニットケースにねじ止めされるようになっている。ここで、表示ユニットと枠状の第１ケースとの間には寸法公差を解消するためのクリアランスが必要であるため、単純に第１ケースの左右両側面または上下両側面に表示ユニットをねじ止めした場合、枠状の第１ケースにクリアランスを増減させるような歪が発生してしまい、このような第１ケースに対して第２ケースを適切に結合することができなくなってしまう。
【０００５】
そこで、このような問題を解消するために、表示ユニットの一端面のみを第１ケースの側面にねじ止めして両者を一体化した後、この一体品を第２ケースに重ね合わせた状態で第１および第２ケースの四隅を表示ユニットの厚み方向にねじ止めする、という表示ユニットの保持構造が提案されている（特許文献１参照）。
【０００６】
特許文献１に記載された従来の保持構造によれば、表示ユニットの一端面だけが第１ケースの側面にねじ止めされるため、枠状の第１ケースを歪ませることなくねじ止めすることができると共に、第１ケースと第２ケースの接合箇所の四隅が表示ユニットの厚み方向にねじ止めされるため、左右方向と上下方向および前後方向の全ての方向についてユニットケースに対する表示ユニットのガタつきを抑えることができる。
【先行技術文献】
【特許文献】
【０００７】
【特許文献１】特開２０１３−１９２６３１号公報
【発明の概要】
【発明が解決しようとする課題】
【０００８】
前述した従来例に係る表示ユニットの保持構造では、ユニットケースに対する表示ユニットのねじ止め箇所が第１ケースの一側面だけとなり、これだけでは表示ユニットを安定的に保持することができないため、第１ケースと第２ケースの四隅をねじ止めするときの締付け力によって、表示ユニットの周縁部を両ケースでサンドウィッチして安定的に保持するようにしている。しかしながら、第１ケースと第２ケースをねじ止めするときの締付け力が表示ユニットを圧縮する方向に作用するため、表示ユニットの構成部材であるＬＣＤに白化や亀裂が発生してしまう虞があり、この点において改善の余地があった。
【０００９】
本発明は、このような従来技術の実情に鑑みてなされたもので、その目的は、表示ユニットをユニットケースに対して白化や亀裂を発生させることなく安定的に保持させることができる遊技機を提供することにある。
【課題を解決するための手段】
【００１０】
上記の目的を達成するために、本発明の遊技機は、遊技の演出用画像が表示される表示面を有する直方体形状の表示ユニットと、この表示ユニットを収納して保持するユニットケースとを備え、前記表示ユニットが前記表示面を前方に向けた姿勢で遊技機本体に配設されている遊技機において、前記ユニットケースは、前記表示ユニットの前面周囲と側端面を包囲する枠状の第１ケースと、前記表示ユニットの側端面と背面を包囲する第２ケースとで構成されており、前記表示ユニットの上下または左右方向で対向する２つの側壁のうち、一方の側壁に対して前記第２ケースを保持部材により保持することなく前記第１ケースを保持部材により保持すると共に、他方の側壁に対して前記第１ケースを保持部材により保持することなく前記第２ケースを保持部材により保持することにより、前記表示ユニットが前記ユニットケースに収納した状態で保持されるという構成にした。
【００１１】
このように構成された遊技機では、表示ユニットの上下または左右方向で対向する２つの側端面のうち、一方の側端面に対して枠状の第１ケースがねじ止めされていると共に、他方の側端面に対して第２ケースがねじ止めされているため、第１ケースと第２ケースで構成されるユニットケースに対して表示ユニットをガタつきなく安定的に保持することができると共に、表示ユニットに白化や亀裂が発生することを防止することができる。
【発明の効果】
【００１４】
本発明の遊技機によれば、表示ユニットをユニットケースに対して白化や亀裂を発生させることなく安定的に保持させることができる。
【図面の簡単な説明】
【００１５】
【図１】本発明の実施形態例に係るパチンコ機の斜視図である。
【図２】図１に示すパチンコ機のガラス扉を開放した状態を示す斜視図である。
【図３】該パチンコ機の背面図である。
【図４】該パチンコ機に搭載される可変表示組立体の斜視図である。
【図５】該可変表示組立体の正面図である。
【図６】図５のVI−VI線に沿う断面図である。
【図７】該可変表示組立体を前面側から見た分解斜視図である。
【図８】該可変表示組立体を背面側から見た分解斜視図である。
【図９】該可変表示組立体に備えられる第１ケースの正面図である。
【図１０】図９のＸ−Ｘ線に沿う断面図である。
【図１１】該可変表示組立体に備えられる第２ケースの正面図である。
【図１２】図１１のXII−XII線に沿う断面図である。
【発明を実施するための形態】
【００１６】
発明の実施の形態について図面を参照して説明すると、図１に示すように、本発明の実施形態例に係るパチンコ機は、遊技場の島設備に設置される縦長方形状の外枠１と、外枠１に扉状に開閉自在に取り付けられた機器本体２と、機器本体２の前面に扉状に開閉自在に取り付けられたガラス扉３等を備えており、ガラス扉３にはガラスやプラスチック等からなる透明板４が取り付けられている。
【００１７】
外枠１の左側枠部には上側軸受け体５と下側軸受け体６が固着されており、これら一対の軸受け体５，６に機器本体２の左側枠部に設けられた上下のピン（図示せず）が軸支されることにより、機器本体２は外枠１に対して開閉自在となっている。
【００１８】
機器本体２の左側枠部には上側ヒンジ板７と下側ヒンジ板８が設けられており、図示せぬが、上側ヒンジ板７には取付孔が形成されると共に、下側ヒンジ板８には支軸が立設されている。そして、ガラス扉３の左側枠部の上部に設けた取付ピンを上側ヒンジ板７の取付孔に挿入すると共に、ガラス扉３の左側枠部の下面に設けた軸孔を下側ヒンジ板８の支軸に挿入することにより、ガラス扉３は機器本体２に対して開閉自在となっている。
【００１９】
機器本体２の上部内側には遊技盤９が収納されており、この遊技盤９の盤面（前面）はガラス扉３の透明板４を透して目視可能となっている。図２に示すように、遊技盤９はガイドレール１０等によって区画形成された遊技領域１１を有しており、詳細な説明は省略するが、遊技領域１１には始動入賞口、一般入賞口、アタッカー装置、遊技釘、風車、アウト口等が設けられている。それ以外にも、遊技領域１１の中央部には可変表示ユニット等と呼ばれる可変表示組立体１２が配設されており、この可変表示組立体１２の詳細な説明については後述する。また、遊技盤９よりも下方の機器本体２はガラス扉３によって覆い隠される設置部２ａとなっており、この設置部２ａにはスピーカ１３や発射装置１４等が配設されている。
【００２０】
機器本体２の右側枠部にはシリンダ錠１５ａを有する施錠装置１５が設置されており、図示せぬが、この施錠装置１５は機器本体２の裏面に配置された後部施錠杆と機器本体２の前面に配置された前部施錠杆とを備えている。常態では、施錠装置１５の後部施錠杆により外枠１に対して機器本体２が施錠されると共に、前部施錠杆により機器本体２に対してガラス扉３が施錠されている。そして、シリンダ錠１５ａの鍵穴に図示せぬ鍵を差し込み、この鍵を一方向（例えば時計回り）へ回動すると、後部施錠杆が上動して機器本体２が開錠されるようになっている。また、シリンダ錠１５ａの鍵穴に差し込んだ鍵を他方向（反時計回り）へ回動すると、前部施錠杆が上動してガラス扉３が開錠されるようになっている。
【００２１】
図１に示すように、ガラス扉３には遊技盤９の盤面に対向する大きな窓孔３ａが開設されており、この窓孔３ａは透明板４によって塞がれている。ガラス扉３前面下部には、遊技盤９の裏面に配設された賞球払出装置２２（図３参照）から払い出された遊技球を収容する上段受皿１６と、上段受皿１６から排出された遊技球を収容する下段受皿１７と、遊技者による押下および回転操作が可能な演出操作ユニット１８とが設けられており、下段受皿１８の斜め右下方には発射装置１４の発射強度を調整するための操作ハンドル１９が配設されている。さらに、下段受皿１８の斜め右上方にはスピーカ１３の音を放射するグリル部３ｂが設けられており、このスピーカ１３によって遊技に関する様々な効果音を発するようになっている。
【００２２】
図３に示すように、遊技盤９の裏面側には、遊技に関する主要な処理を行う主制御基板２０と、主制御基板２０からの指令を受けて可変表示組立体１２やスピーカ１３等の各種装置を制御する副制御基板２１と、前述した賞球払出装置２２と、主制御基板２０からの指令を受けて賞球払出装置２２を制御する払出制御基板２３と、操作ハンドル１９の回動量に応じて発射装置１４の作動を制御する発射制御基板２４と、賞球数や大当たり回数等の各種情報を遊技場のホールコンピュータに出力する外部端子基板２５等が設けられている。
【００２３】
次に、図４〜図１２を参照しながら前述した可変表示組立体１２の詳細な構成について説明する。なお、これらの図において、パチンコ機を正面側から見たときの左右方向をＸ１，Ｘ２、前後方向をＹ１，Ｙ２、上下方向をＺ１，Ｚ２として示してあり、図８は図７を反対側から見た図であるため、左右方向（Ｘ１，Ｘ２）と前後方向（Ｙ１，Ｙ２）が図７と逆になっている。
【００２４】
この可変表示組立体１２は、比較的厚みの薄い直方体形状の表示ユニット２６と、表示ユニット２６の前面周囲と側端面を包囲する枠状の第１ケース２７と、表示ユニット２６の側端面と背面を包囲する第２ケース２８とで構成されており、後述するように、第１ケース２７と第２ケース２８は結合・一体化されてユニットケース２９となる。
【００２５】
表示ユニット２６は、液晶表示装置（ＬＣＤ）３０とその制御基板とを金属製ケース３１に収納して一体化したものであり、液晶表示装置３０の表示面３０ａに遊技の演出用画像が表示されるようになっている。この表示ユニット２６の側端面をなす上下左右４つの側壁のうち、上下方向（Ｚ１−Ｚ２方向）で対向する上側壁と下側壁にそれぞれ２つずつ、合計で４つのネジ孔（雌ネジ部）２６ａが設けられている。
【００２６】
第１ケース２７は矩形状の開口２７ａを有する枠状の樹脂成型品であり、この第１ケース２７を表示ユニット２６に嵌め込んで表示面３０ａを開口２７ａから露出させることにより、表示ユニット２６の側端面（４つの側壁）と前面周縁部とが第１ケース２７によって包囲されるようになっている。ここで、第１ケース２７の上下左右４つの側壁のうち、上側壁には上下方向に貫通する２つのねじ挿通孔２７ｂが設けられており、これらねじ挿通孔２７ｂの近傍には前後方向に延びる２つのネジ孔（雌ネジ部）２７ｃが設けられている。また、第１ケース２７の下側壁には、側壁の一部を除去した２つの切欠部２７ｄが形成されており、これら切欠部２７ｄの近傍にも前後方向に延びる２つのネジ孔２７ｃが設けられている。さらに、第１ケース２７の左側面と右側面の中央部にはそれぞれ係合部２７ｅが形成されている。
【００２７】
なお、表示ユニット２６の外形寸法に対して枠状の第１ケース２７は若干大きめに形成されており、これら表示ユニット２６と第１ケース２７との間には両者の寸法公差を解消するためのクリアランスが確保されている。そして、第１ケース２７を表示ユニット２６に嵌め込んだ状態で、表示ユニット２６の上側壁に設けられた２つのネジ孔２６ａに対して、第１ケース２７の上側壁に設けられた２つのねじ挿通孔２７ｂがそれぞれ同軸上で重なるように位置設定されている。
【００２８】
第２ケース２８は第１ケース２７の外形寸法とほぼ同じ大きさの樹脂成型品であり、この第２ケース２８の上下左右４つの側壁のうち、上側壁と下側壁には前後方向に貫通するねじ挿通孔２８ａが片側について２つずつ、合計で４つ設けられている。これら各ねじ挿通孔２８ａは、第１ケース２７と第２ケース２８を前後方向に重ね合わせたとき、第１ケース２７の各ネジ孔２７ｃに対して同軸上で重なるように位置設定されている。また、第２ケース２８の下側壁には、板厚方向に突出する２つの突出部２８ｂが形成されており、これら突出部２８ｂには上下方向に貫通するねじ挿通孔２８ｃがそれぞれ設けられている。さらに、第２ケース２８の左側面と右側面の中央部にはそれぞれ係止片２８ｄが形成されており、これら係止片２８ｄと第１ケース２７の係合部２７ｅはスナップ結合可能となっている。
【００２９】
なお、第１ケース２７と第２ケース２８を前後方向に重ね合わせたとき、第２ケース２８の各突出部２８ｂは第１ケース２７の切欠部２７ｄ内にそれぞれ挿入されるようになっており、この状態で表示ユニット２６の下側壁に設けられた２つのネジ孔２６ａに対して、第２ケース２８の２つの突出部２８ｂに設けられたねじ挿通孔２８ｃが同軸上で重なるように位置設定されている。
【００３０】
表示ユニット２６をユニットケース２９に保持させて可変表示組立体１２を構成する手順について説明すると、まず、枠状の第１ケース２７を表示ユニット２６に嵌め込んで、表示ユニット２６の表示面３０ａを第１ケース２７の開口２７ａから露出させる。これにより、表示ユニット２６の上側壁に設けられた２つのネジ孔２６ａと、第１ケース２７の上側壁に設けられた２つのねじ挿通孔２７ｂとがそれぞれ同軸上で重なる。その際、表示ユニット２６と第１ケース２７との間にはクリアランスが確保されているため、第１ケース２７を表示ユニット２６にスムーズに嵌め込むことができる。
【００３１】
次に、表示ユニット２６の背面を第２ケース２８に対向させた状態で第１ケース２７と第２ケース２８とを前後方向に重ね合わせ、第２ケース２８の係止片２８ｄを第１ケース２７の係合部２７ｅにスナップ結合することにより、第１ケース２７と第２ケース２８を仮止めする。このとき、第２ケース２８の下側壁に設けられた２つの突出部２８ｂは第１ケース２７の切欠部２７ｄ内にそれぞれ挿入され、これら突出部２８ｂに設けられた２つのねじ挿通孔２８ｃと、表示ユニット２６の下側壁に設けられた２つのネジ孔２６ａとがそれぞれ同軸上で重なる。
【００３２】
この状態で第１ケース２７の２つのねじ挿通孔２７ｂに上方からねじ３２をそれぞれ挿入し、これら各ねじ３２を表示ユニット２６のネジ孔２６ａに螺合して締め付けることにより、表示ユニット２６を第１ケース２７の上側壁にねじ止め固定する。また、これに前後して第２ケース２８の２つのねじ挿通孔２８ｃに下方からねじ３３をそれぞれ挿入し、これら各ねじ３３を表示ユニット２６のネジ孔２６ａに螺合して締め付けることにより、表示ユニット２６を第２ケース２８の下側壁にねじ止め固定する。
【００３３】
このように表示ユニット２６の上方と下方から各ねじ３２，３３を締め付けていくと、第１ケース２７と第２ケース２８が寸法公差のクリアランスを埋めるように表示ユニット２６に寄っていくため、表示ユニット２６の上下両端面に第１ケース２７と第２ケース２８が隙間なく取り付けられる。しかる後、第２ケース２８の背面側から４つのねじ挿通孔２８ａにねじ３４をそれぞれ挿入し、これら各ねじ３４を第１ケース２７のネジ孔２７ｃに螺合して締め付けることにより、第１ケース２７と第２ケース２８を本固定する。その結果、第１ケース２７と第２ケース２８が結合・一体化されてユニットケース２９となり、かかるユニットケース２９に表示ユニット２６を保持させた可変表示組立体１２が完成する。
【００３４】
以上説明したように、本実施形態例に係るパチンコ機では、表示ユニット２６の上下両端面に設けられた４つのネジ孔２６ａが単一のケースにねじ止めされているのではなく、各ネジ孔２６ａに対応するネジ座面（ねじ挿通孔２７ｂ，２８ｃ）が第１ケース２７の上側壁と第２ケース２８の下側壁とに２箇所ずつ振り分けて設けてあるため、第１ケース２７と第２ケース２８を組み合わせて構成されるユニットケース２９に対して表示ユニットを２６ガタつきなく安定的に保持することができると共に、表示ユニット２６に白化や亀裂が発生することを防止することができる。
【００３５】
なお、上記実施形態例では、上側壁と下側壁にネジ孔２６ａが２つずつ、合計で４つ設けられている表示ユニット２６について説明したが、ネジ孔２６ａの総数や形成位置はこれに限定されることはなく、要は、上下または左右方向で対向する２つの側端面にネジ孔を有する表示ユニットであれば本発明を適用することができる。
【００３６】
また、上記実施形態例では、本発明をパチンコ機に適用した場合について説明したが、スロットマシン等のパチンコ機以外の遊技機に適用することも可能である。
【符号の説明】
【００３７】
２  機器本体（遊技機本体）
１２  可変表示組立体
２６  表示ユニット
２６ａ  ネジ孔
２７  第１ケース
２７ａ  開口
２７ｂ  ねじ挿通孔
２７ｃ  ネジ孔
２７ｄ  切欠部
２７ｅ  係合部
２８  第２ケース
２８ａ  ねじ挿通孔
２８ｂ  突出部
２８ｃ  ねじ挿通孔
２８ｄ  係止片
２９  ユニットケース
３０  液晶表示装置
３０ａ  表示面
３１  金属製ケース
３２，３３，３４  ねじ（保持部材）
【図１】
0006473666.tif 000002
【図２】
0006473666.tif 000003
【図３】
0006473666.tif 000004
【図４】
0006473666.tif 000005
【図５】
0006473666.tif 000006
【図６】
0006473666.tif 000007
【図７】
0006473666.tif 000008
【図８】
0006473666.tif 000009
【図９】
0006473666.tif 000010
【図１０】
0006473666.tif 000011
【図１１】
0006473666.tif 000012
【図１２】
0006473666.tif 000013